(57)【特許請求の範囲】
【請求項１】
複数の電子回路基板を備えるとともに前記電子回路基板のそれぞれに電源供給又は信号伝達する電子回路装置において、
各前記電子回路基板は、背面配線板に実装したときに並列して配されるとともに、
基板表面に搭載された所定の電子部品の表面上に配設された所定数の第１の接触子と、
前記第１の接触子と対応する基板裏面に配設されるとともに、前記第１の接触子と電気的に接続し、実装時に隣接する他の電子回路基板の第１の接触子と当接して電気的に接続する所定数の第２の接触子と、
を備えることを特徴とする電子回路装置。
【請求項２】
実装時に一の電子回路基板の第１の接触子とこれと隣接する電子回路基板の第２の接触子との間に配されるとともに、前記第１の接触子と前記第２の接触子とを電気的に接続する伝導性弾性部材を有することを特徴とする請求項１記載の電子回路装置。
【請求項３】
前記電子回路基板のいずれかは、板面の所定の位置に配設された第３の接触子を有し、
前記電子回路装置は、前記電子回路基板以外の装置本体部分において前記第３の接触子と対応する位置に前記第３の接触子と圧接して電気的に接続する第４の接触子を有する、
ことを特徴とする請求項１又は２記載の電子回路装置。
【請求項４】
前記第３の接触子は、前記電子回路基板のいずれかの板面の両面に配設され、
前記第４の接触子は、前記第３の接触子を狭持することを特徴とする請求項３記載の電子回路装置。
【請求項５】
装置本体に実装されるとともに、前記装置本体側から電源供給又は信号伝達される電子回路基板であって、
基板表面に搭載された所定の電子部品の表面上に配設された所定数の第１の接触子と、
前記第１の接触子と対応する基板裏面に配設されるとともに、前記第１の接触子と電気的に接続し、実装時に隣接する他の電子回路基板の第１の接触子と当接して電気的に接続する所定数の第２の接触子と、
を備えることを特徴とする電子回路基板。
【請求項６】
前記電子回路基板は、板面の所定の位置に前記装置本体側から直接的に電源供給又は信号伝達を受けるための所定数の第３の接触子を有することを特徴とする請求項５記載の電子回路基板。
【発明の詳細な説明】
【０００１】
【発明の属する技術分野】
本発明は、複数の電子回路基板を備えた電子回路装置に関し、特に、電子回路基板の側端面に配設されたコネクタを使用しないで電源供給する電子回路装置に関する。
【０００２】
【従来の技術】
従来の電子回路基板を図面を用いて説明する。図７は、従来の一例に係る電子回路装置を模式的に示した斜視図であり、（Ａ）は全体斜視図、（Ｂ）電子回路基板の斜視図である。
【０００３】
図７を参照すると、装置１１０に実装された状態の電子回路基板１３０と背面配線板１２０の関係を示している。従来、電子回路装置１３０では、受電した背面配線板１２０の電源用配線（図示せず）を通じコネクタ１３１を経由して電子回路配線板１３０に供給されていた。
【０００４】
【発明が解決しようとする課題】
しかしながら、従来の電子回路装置においては、次のような問題点があった。
【０００５】
第１の問題点は、基板側端面に配設されたコネクタ１３１を使用して電源供給をしていたため、電子回路基板１３０同士の本来の信号接続に有効に利用できないということである。
【０００６】
第２の問題点は、コネクタ１３１から電子回路基板１３０上に実装されている電圧変換器１３３まで、電子回路基板１３０上に電源用配線１３２が配されていたため、部品の実装効率を上げることができないということである。
【０００７】
本発明の第１の目的は、コネクタ部、背面基板の信号、配線板の効率的利用、基板の実装効率化を可能にする電子回路基板を提供することである。
【０００８】
本発明の第２の目的は、電源供給量を増大させることが可能な電子回路基板を提供することである。
【０００９】
本発明の第３の目的は、実装方法の自由度を向上させることが可能な電子回路基板を提供することである。
【００１０】
本発明の第４の目的は、電源投入シーケンスの設定マージン等の改善した電子回路基板を提供することである。
【００１１】
【課題を解決するための手段】
【００１２】
本発明の第１の視点においては、複数の電子回路基板を備えるとともに前記電子回路基板のそれぞれに電源供給又は信号伝達する電子回路装置において、各前記電子回路基板は、背面配線板に実装したときに並列して配されるとともに、基板表面に搭載された所定の電子部品の表面上に配設された所定数の第１の接触子と、前記第１の接触子と対応する基板裏面に配設されるとともに、前記第１の接触子と電気的に接続し、実装時に隣接する他の電子回路基板の第１の接触子と当接して電気的に接続する所定数の第２の接触子と、
を備えることを特徴とする。
【００１３】
また、前記電子回路装置においては、実装時に一の電子回路基板の第１の接触子とこれと隣接する電子回路基板の第２の接触子との間に配されるとともに、前記第１の接触子と前記第２の接触子とを電気的に接続する伝導性弾性部材を有することが好ましい。
【００１４】
また、前記電子回路装置においては、前記電子回路基板のいずれかは、板面の所定の位置に配設された第３の接触子を有し、前記電子回路装置は、前記電子回路基板以外の装置本体部分において前記第３の接触子と対応する位置に前記第３の接触子と圧接して電気的に接続する第４の接触子を有する、
ことが好ましい。
【００１５】
また、前記電子回路装置においては、前記第３の接触子は、前記電子回路基板のいずれかの板面の両面に配設され、前記第４の接触子は、前記第３の接触子を狭持することが好ましい。
【００１７】
本発明の第２の視点においては、装置本体に実装されるとともに、前記装置本体側から電源供給又は信号伝達される電子回路基板であって、実装時に他の電子回路基板と並列に配され、基板表面に搭載された所定の電子部品の表面上に配設された所定数の第１の接触子と、前記第１の接触子と対応する基板裏面に配設されるとともに、前記第１の接触子と電気的に接続し、実装時に隣接する他の電子回路基板の第１の接触子と当接して電気的に接続する所定数の第２の接触子と、を備えることを特徴とする。
【００１８】
また、前記電子回路基板においては、前記電子回路基板は、板面の所定の位置に前記装置本体側から直接的に電源の供給を受けるための所定数の第３の接触子を有することが好ましい。
【００１９】
【発明の実施の形態】
複数の電子回路基板を備えるとともに前記電子回路基板のそれぞれに電源供給又は信号伝達する電子回路装置において、各前記電子回路基板は、装置本体に実装したときに並列して配されるとともに、基板表面に搭載された所定の電子部品の表面上に配設された所定数の第１の接触子と、前記第１の接触子と対応する基板裏面に配設されるとともに、前記第１の接触子と電気的に接続し、実装時に隣接する他の電子回路基板の第１の接触子と当接して電気的に接続する所定数の第２の接触子と、を備えることにより、電子回路基板同士が各電子回路基板の接続子が当接し、当該接続子を介して電源供給できるので、コネクタを使用しないで電源供給が可能となる。
【００２０】
【実施例】
本発明の実施例を図面を用いて説明する。図１は、本発明の実施例１に係る電子回路装置を模式的に示した全体斜視図である。図２は、本発明の実施例１に係る電子回路装置に関し、（Ａ）は電子回路基板の斜視図、（Ｂ）は基板実装時における接触子近傍の部分断面図である。
【００２１】
この電子回路基板３０は、コネクタ３１と、電源用配線３２と、電圧変換器３３と、電源供給用接触子３４と、電子部品（図示せず）と、を有する。電子回路基板３０の上下端面には、図１では省略しているが、図２（Ｂ）のように正面板３５が配設される。
【００２２】
コネクタ３１は、基板上の電子回路に信号を送るための接続部分であり、電子回路基板３０の左側端面に配設されており、装置の背面配線板２０のコネクタ（図示せず）と接続する（図１参照）。電源用配線３２は、基板に配された電圧変換器３３と電源供給用接触子３４とを電気的に接続する配線である（図２（Ａ）参照）。電圧変換器３３は、基板上の所定の位置に実装された電子部品である。電源供給用接触子３４は、基板上の電圧変換器３３近傍の所定の位置に配設された電圧変換器３３に電源を供給するための接触子であり、一の基板表面から大きく突出しており（図２（Ｂ）の接触子３４Ａ参照）、その反対側の対応する面からは小さく突出している（図２（Ｂ）の接触子３４Ｂ参照）。一の電子回路基板における接触子３４Ａと接触子３４Ｂとは電気的に接続（基板の中で）している。なお、一の電子回路基板の接触子３４Ａと他の電子回路基板の接触子３４Ｂとの間には、高さ調整のためにスプリング端子などの伝導性弾性部材が介在していてもよい。
【００２３】
電子回路基板３０は、装置に実装する際に一の電子回路基板と他の電子回路基板とが図１のように並列に重なるようにして実装され、一の電子回路基板の接触子３４Ａと隣接する電子回路基板の接触子３４Ｂとが接触するようにして繰り返し実装される。接触子３４Ａが大きく突出しているのは、電子回路基板に実装されている電子部品が隣接する電子回路基板と抵触しないようにするためである。
【００２４】
これにより、装置の電源供給部（図示せず）に最も近いところに実装された電子回路基板の接触子に電源を供給をすれば中間の各電子回路基板の接触子を介して装置の電源供給部から最も遠いところに実装された電子回路基板の接触子に電源を供給することが可能となる。また、電圧変換器３３までの電源用配線を短くしたり、使用しなくてもよくなる。さらに、電圧変換器３３以外の電子部品についても前記接触子のように電気的に接続すればコネクタ３１自体を使用することなく電源供給、信号伝達することができる。加えて、コネクタを使用しなくてすめば、電子回路基板の挿入順序を意識しないで挿入できる。
【００２５】
以上、実施例１の構成を述べたが、この電子回路基板については、当業者にとってよく知られており、また本発明とは直接関係しないので、その詳細な構成は省略する。
【００２６】
次に、実施例１における投入順序シーケンス制御への実例の動作を図面を用いて説明する。図３は、（Ａ）従来の一例に係る電子回路装置と（Ｂ）本発明の実施例１に係る電子回路装置とのそれぞれの活線挿抜時における投入順序シーケンス制御の動作を模式的に示したタイムチャートの比較図である。ここでの従来例とは、図７のようにコネクタ１３１及び電源用配線１３２を介して電圧変換器１３３に電源を供給するタイプである。
【００２７】
図３（Ａ）を参照すると、従来例のようにコネクタ接続の基板を挿入する場合（図７参照）、電子回路基板が挿入され最初にコネクタアース信号部の端子が接触し、基板にアース電位が与えられその後、端子長の短い電源側端子が接触し、基板に電源電位が与えられ電源投入シーケンスが終了する。また、抜き出し時はそれと逆のシーケンスとなる。この場合アースと電源供給用端子長を変えて、アースと電源供給までの時間を決めているが時間の制御範囲が端子長で制限されてしまう。
【００２８】
一方、実施例１のような接触子による電源供給の場合（図１、２参照）も、シーケンスは同様であるが、基板上に配設された接触子で電気的に接続していることにより、コネクタ部での端子長に比較し更にシーケンス時間を長くとることが可能になる。
【００２９】
次に、本発明の他の実施例を図面を用いて説明する。図４は、本発明の実施例２に係る電子回路装置に関し、（Ａ）は電子回路基板の斜視図、（Ｂ）は基板実装時における接触子近傍の部分断面図である。
【００３０】
実施例２の電子回路装置の基本的構成は、実施例１の電子回路装置の構成と同様であるが、接触子３４の位置についてさらに改良している。実施例２における電子回路基板の接触子３４は、電子回路基板の板面の縁部に配設したものである。装置への電子回路基板の配列の仕方は図１と同様である。
【００３１】
次に、図５は、本発明の実施例３に係る電子回路装置に関し、（Ａ）は電子回路基板の斜視図、（Ｂ）は基板実装時における接触子近傍の部分断面図である。
【００３２】
実施例３の電子回路装置の構成は、実施例１の電子回路装置における接触子と電圧変換器を一体としたものである。つまり、基板に搭載した電源変換器３６の表面に接触子３７Ａを設け、その対応裏面に接触子３７Ｂを設けたものである。これにより、図１のように装置に実装する際に一の電子回路基板と他の電子回路基板とが並列に重なるようにして実装され、一の電子回路基板の接触子３７Ａと隣接する電子回路基板の接触子３７Ｂとが接触するようにして繰り返し実装され、実施例１と同様な効果が得られる。そして、基板上に電圧変換器とは別に接触子を配設するスペースを確保する必要がなくなるので、配線効率の向上を図ることが可能である。
【００３３】
なお、装置本体側から電子回路基板に電源を供給するパターンとしては、図６のように、（Ａ）装置本体側の所定の位置に設けた接触子（以下、装置側接触子１１）により基板上に設けた接触子（以下、基板側接触子３８）を基板の対応する両側から狭持するパターン、（Ｂ）装置側接触子１１を基板片側（一の面）に設けられた基板側接触子３８に押圧するパターン、（Ｃ）装置側接触子１１を基板片側（他の面）に設けられた基板側接触子３８に押圧するパターン、（Ｄ）装置側接触子１１により基板側接触子３８を基板の対応しない両側から狭持するパターンがある。
【００３４】
【発明の効果】
以上説明したように、本発明においては、以下に記載するような効果を奏する。
【００３５】
第１の効果は、裏面コネクタの収容より、電源供給部分を削除するので、背面配線基板側の従来の配線を他の配線に有効に利用できる上、場合によっては、配線基板の層数を減らす事も可能になる。また、同時にコネクタ部の電源供給に従来使用していた端子を割り当てる事ができることである。
【００３６】
第２の効果は、コネクタ部を介さないで電源供給するため、コネクタから基板側に実装されている電源変換器までの配線が不要となる。この事により、配線で占有していた部分を部品実装及び、信号線等の配線に利用できる。その結果、部品実装効率を上げる事ができる。
【００３７】
第３の効果は、接触部をコネクタと別に配置できるため、形状、取り付け位置が自由にできることである。
【００３８】
第４の効果は、従来のコネクタに比べ、接触部面積を大きくとれるため、電子回路基板の電源容量を多くとる事もできることである。
【００３９】
第５の効果は、隣接基板同士を接続する場合、上位の制御系より電源を供給することにより、制御部を抜いた場合の配下装置の誤動作を防止できる。
【００４０】
このようにして、本発明では、電子回路配基板への電源供給をコネクタ部を使用しないで実現しているため、コネクタ部の電源供給に使用していた端子を信号線に割り当てる事ができる。基板上の電源供給用配線が不要になる事により基板上に実装できる部品点数を増やす事が可能となる。接触子の配置により、電源投入シーケンス、電源容量への対応、電子回路基板の装置への誤挿入防止機構の適用、実装の自由度、背面装置配線板の配線効率向上等の効果がある。
【００４１】
また、制御部回路基板より、電源を供給した場合、制御部を抜いた場合配下の回路の動作を電気的に停止する事が可能となる。
【図面の簡単な説明】
【図１】本発明の実施例１に係る電子回路装置を模式的に示した斜視図である。
【図２】本発明の実施例１に係る電子回路装置に関し、（Ａ）は電子回路基板の斜視図、（Ｂ）は基板実装時における接触子近傍の部分断面図である。
【図３】（Ａ）従来の一例に係る電子回路装置と（Ｂ）本発明の実施例１に係る電子回路装置とのそれぞれの活線挿抜時における投入順序シーケンス制御の動作を模式的に示したタイムチャートの比較図である。
【図４】本発明の実施例２に係る電子回路装置に関し、（Ａ）は電子回路基板の斜視図、（Ｂ）は基板実装時における接触子近傍の部分断面図である。
【図５】本発明の実施例３に係る電子回路装置に関し、（Ａ）は電子回路基板の斜視図、（Ｂ）は基板実装時における接触子近傍の部分断面図である。
【図６】本発明の一実施例に係る電子回路装置における装置本体から基板への電源供給部近傍の部分断面図である。
【図７】従来の一例に係る電子回路装置を模式的に示した斜視図であり、（Ａ）は全体斜視図、（Ｂ）電子回路基板の斜視図である。
【符号の説明】
１０  電子回路装置
１１  装置側接触子
２０  背面配線板
３０  電子回路基板
３１  コネクタ
３２  電源用配線
３３  電圧変換器
３４、３４Ａ、３４Ｂ  接触子
３５  正面板
３６  電圧変換器
３７、３７Ａ、３７Ｂ  接触子
３８  接触子
１１０  電子回路装置
１２０  背面配線板
１３０  電子回路基板
１３１  コネクタ
１３２  電源用配線
１３３  電圧変換器
【図１】
0003721954.tif 000002
【図２】
0003721954.tif 000003
【図３】
0003721954.tif 000004
【図４】
0003721954.tif 000005
【図５】
0003721954.tif 000006
【図６】
0003721954.tif 000007
【図７】
0003721954.tif 000008